(57)【要約】  【課題】リモコンに高温差し湯用の新たな機能釦を追加せずに、使用者の意図で高温差し湯を設定でき、使い勝手を向上できる給湯装置11を提供する。  【解決手段】リモコンの追焚き釦を操作することにより、熱交換手段47によって貯湯タンク15の湯と浴槽12に湯張りされた湯水とを熱交換させ、浴槽12の湯水を温度上昇させる。リモコンの足し湯釦を操作することにより、浴槽用給湯手段46によって貯湯タンク15の湯を利用して設定温度の湯を浴槽12に給湯する。リモコンの追焚き釦と足し湯釦を順に操作することにより、浴槽用給湯手段46によって貯湯タンク15の高温の湯を浴槽12に差し湯する。リモコンに高温差し湯用の新たな機能釦を追加せずに、使用者の意図で高温差し湯を設定でき、使い勝手が向上する。  【選択図】図１
2006250444.tif 000002
【特許請求の範囲】
【請求項１】
沸き上げられた湯を貯湯する貯湯タンクと、
この貯湯タンクの湯を利用して設定温度の湯を浴槽に給湯する浴槽用給湯手段と、
前記貯湯タンクの湯と浴槽に湯張りされた湯水とを熱交換させて浴槽の湯水を温度上昇させる熱交換手段と、
各機能毎に割り付けられていて各機能を指令操作する複数の機能釦を有するリモコンと、
このリモコンが有する複数の機能釦のうちの特定の機能釦の操作の組み合わせにより前記浴槽用給湯手段によって貯湯タンクの高温の湯を浴槽に差し湯する高温差し湯を設定する制御部と
を具備していることを特徴とする給湯装置。
【請求項２】
リモコンは、機能釦として、熱交換手段によって浴槽の湯水を追焚きさせる追焚き釦、浴槽用給湯手段によって設定温度の湯を浴槽に足し湯させる足し湯釦を有し、
制御部は、前記リモコンの追焚き釦と足し湯釦との操作の組み合わせで高温差し湯を設定する
ことを特徴とする請求項１記載の給湯装置。
【請求項３】
制御部は、高温差し湯中に、高温差し湯を指令操作した特定の機能釦のうちの１つが操作されることにより高温差し湯の設定を解除する
ことを特徴とする請求項１または２記載の給湯装置。
【発明の詳細な説明】
【技術分野】
【０００１】
本発明は、貯湯タンクの湯との熱交換によって浴槽の湯水を温度上昇させる機能を有する給湯装置に関する。
【背景技術】
【０００２】
従来、貯湯タンクに沸き上げた湯を貯湯し、この貯湯タンクの湯を給湯する給湯装置では、貯湯タンクの湯と給水される水とを混合して設定温度の湯を浴槽に給湯して湯張りする自動湯張り機能と、貯湯タンクの湯と浴槽に湯張りした湯水とを熱交換させて浴槽の湯水を保温したり追焚きする保温追焚き機能とを有する給湯装置がある。
【０００３】
熱交換による保温追焚き機能を有する給湯装置では、一般的に、貯湯タンクの湯との熱交換によって浴槽の湯水を温度上昇させることができるので、貯湯タンクの高温の湯を浴槽に入れて浴槽の温度を上昇させる高温差し湯の機能を備えていない。そのため、給湯装置を操作するリモコンには、熱交換によって浴槽の湯水を追焚きさせる追焚き釦はあるが、高温差し湯釦は設けられていない。
【０００４】
また、追焚き時に、貯湯タンクの残湯温度が６０℃程度まで低下すると、熱交換能力が低下して浴槽の湯水の温度を上昇させるのに時間がかかるため、制御部の判断により、熱交換によって浴槽の湯水を温度上昇させる追焚きに代えて、貯湯タンクの高温の湯を浴槽に給湯して浴槽の湯水を早く温度上昇させる高温差し湯に自動的に切り換える方法が知られている（例えば、特許文献１参照。）。したがって、この場合にも、給湯装置を操作するリモコンには、高温差し湯釦は設けられていない。
【特許文献１】特開２００３−５００４８号公報（第４−５頁、図１−３）
【発明の開示】
【発明が解決しようとする課題】
【０００５】
しかしながら、熱交換能力が低下する温度まで貯湯タンクの残湯温度が低下した場合、制御部の判断で、貯湯タンクの高温の湯を浴槽に給湯して浴槽の湯水を早く温度上昇させる高温差し湯に自動的に切り換えるが、使用者が意図しないのに浴槽の水位が上昇してしまう問題がある。使用者によっては、熱交換による追焚きに時間がかかっても、浴槽の湯量を増やしたくないという要求もあり、このような使用者の要求には対応できない。
【０００６】
また、リモコンに高温差し湯用の新たな機能釦を設けることは、リモコンを新たに作り直さなければならない問題がある。
【０００７】
本発明は、このような点に鑑みなされたもので、リモコンに高温差し湯用の新たな機能釦を追加せずに、使用者の意図で高温差し湯を設定でき、使い勝手を向上できる給湯装置を提供することを目的とする。
【課題を解決するための手段】
【０００８】
請求項１記載の給湯装置は、沸き上げられた湯を貯湯する貯湯タンクと、この貯湯タンクの湯を利用して設定温度の湯を浴槽に給湯する浴槽用給湯手段と、前記貯湯タンクの湯と浴槽に湯張りされた湯水とを熱交換させて浴槽の湯水を温度上昇させる熱交換手段と、各機能毎に割り付けられていて各機能を指令操作する複数の機能釦を有するリモコンと、このリモコンが有する複数の機能釦のうちの特定の機能釦の操作の組み合わせにより前記浴槽用給湯手段によって貯湯タンクの高温の湯を浴槽に差し湯する高温差し湯を設定する制御部とを具備しているものである。
【０００９】
そして、リモコンが有する複数の機能釦のうちの特定の機能釦の操作の組み合わせにより浴槽用給湯手段によって貯湯タンクの高温の湯を浴槽に差し湯する高温差し湯を設定するので、リモコンに高温差し湯用の新たな機能釦を追加せずに、使用者の意図で高温差し湯を設定可能とし、使い勝手が向上する。
【００１０】
請求項２記載の給湯装置は、請求項１記載の給湯装置において、リモコンは、機能釦として、熱交換手段によって浴槽の湯水を追焚きさせる追焚き釦、浴槽用給湯手段によって設定温度の湯を浴槽に足し湯させる足し湯釦を有し、制御部は、前記リモコンの追焚き釦と足し湯釦との操作の組み合わせで高温差し湯を設定するものである。
【００１１】
そして、浴槽の湯水を追焚きさせる追焚き釦と浴槽に足し湯させる足し湯釦との操作の組み合わせで、これら両方の機能を併せ持つことになる高温差し湯を設定するので、高温差し湯を設定するための操作の意識付けが容易で、専用の機能釦がなくても高温差し湯を容易に操作可能とする。
【００１２】
請求項３記載の給湯装置は、請求項１または２記載の給湯装置において、制御部は、高温差し湯中に、高温差し湯を指令操作した特定の機能釦のうちの１つが操作されることにより高温差し湯の設定を解除するものである。
【００１３】
そして、高温差し湯中でも、高温差し湯を指令操作した特定の機能釦のうちの１つを操作すれば、高温差し湯の設定が解除される。
【発明の効果】
【００１４】
請求項１記載の給湯装置によれば、リモコンが有する複数の機能釦のうちの特定の機能釦の操作の組み合わせにより浴槽用給湯手段によって貯湯タンクの高温の湯を浴槽に差し湯する高温差し湯を設定できるので、リモコンに高温差し湯用の新たな機能釦を追加せずに、使用者の意図で高温差し湯を設定でき、使い勝手を向上できる。
【００１５】
請求項２記載の給湯装置によれば、請求項１記載の給湯装置の効果に加えて、浴槽の湯水を追焚きさせる追焚き釦と浴槽に足し湯させる足し湯釦との操作の組み合わせで、これら両方の機能を併せ持つことになる高温差し湯を設定するので、高温差し湯を設定するための操作の意識付けを容易にでき、専用の機能釦がなくても高温差し湯を容易に操作できる。
【００１６】
請求項３記載の給湯装置によれば、請求項１または２記載の給湯装置の効果に加えて、高温差し湯中でも、高温差し湯を指令操作した特定の機能釦のうちの１つを操作すれば、高温差し湯の設定を解除できる。
【発明を実施するための最良の形態】
【００１７】
以下、本発明の一実施の形態を図面を参照して説明する。
【００１８】
図１に示すように、給湯装置11は、給湯栓などの給湯場所に給湯する給湯機能を有しているとともに、浴槽12に自動湯張りしたり保温や追焚きなどをする機能を有している。
【００１９】
給湯装置11が備える給湯装置本体13には電気温水器14の貯湯タンク15が配設され、水道管などの給水源に配管される給水管16が減圧弁17を介して貯湯タンク15の下部側に接続され、湯を給湯する給湯管18が貯湯タンク15の上部側に接続され、貯湯タンク15内に湯を沸き上げる上下のヒータ19，20が貯湯タンク15内の上下部に配設されている。そして、貯湯タンク15内にヒータ19，20で設定温度の湯を沸き上げて貯湯し、各給湯場所での出湯により、貯湯タンク15の下部側に加わる給水圧で貯湯タンク15内の湯を押し上げて上部の給湯管18から給湯する。
【００２０】
貯湯タンク15内の上部側には熱交換器22が配置され、この熱交換器22と浴槽12とが循環配管23で接続されている。循環配管23は、熱交換器22側から見て浴槽12に対する往路24と復路25とを有している。往路24には、往路側サーミスタ26が配設されている。復路25には、浴槽12の湯水の循環を検知するフロースイッチ27、浴槽12の湯水を熱交換器22に循環させる循環ポンプ28、流路を切り換える切換弁としての電動三方弁29、水位を検知する水位センサ30、復路側サーミスタ31がそれぞれ配設されている。また、往路24と復路25の循環ポンプ28および電動三方弁29の間との間にバイパス路32が接続され、このバイパス路32に復路25から往路24への湯水の流れを許容して往路24から復路25への湯水の流れを阻止する逆止弁33が配設されている。
【００２１】
また、給水管16の減圧弁17の下流側と給湯管18とが、給湯用ミキシングバルブ35および浴槽用ミキシングバルブ36にそれぞれ接続されている。これらミキシングバルブ35，36は、給水管16を通じて給水される水と給湯管18を通じて給湯される湯とを混合するとともに、混合割合により設定温度の湯水を吐出側から吐出する。
【００２２】
給湯用ミキシングバルブ35の吐出側には給湯場所まで湯水を導く給湯配管37が接続され、この給湯配管37に、給湯流量を検知する給湯流量センサ38、給湯温度を検知する給湯サーミスタ39がそれぞれ配設されている。
【００２３】
浴槽用ミキシングバルブ36の吐出側には循環配管23の復路25に配設された電動三方弁29に接続される浴槽用配管41が接続されている。この浴槽用配管41には簡易ホッパ42が配設され、この簡易ホッパ42には、浴槽用ミキシングバルブ36側から電動三方弁29側への湯水の流れを許容して電動三方弁29側から浴槽用ミキシングバルブ36側への湯水の逆流を阻止する逆止弁43や、湯張り時に浴槽用配管41を開放し、待機時に浴槽用配管41を閉止する給水電磁弁44などが配設されている。
【００２４】
電動三方弁29は、浴槽12への給湯時に、浴槽用配管41と循環配管23の復路25のパイパス路32側とを連通させるとともに循環配管23の復路25の浴槽12側を閉止し、また、浴槽12の湯水の循環時に、浴槽用配管41側を閉止するとともに循環配管23の復路25を開放させる。
【００２５】
そして、浴槽用ミキシングバルブ36、浴槽用配管41、電動三方弁29、循環配管23などで、貯湯タンク15の湯を利用して設定温度の湯を浴槽12に給湯する浴槽用給湯手段46が構成されている。また、熱交換器22、循環配管23、循環ポンプ28などで、貯湯タンク15の湯と浴槽12に湯張りされた湯水とを熱交換させて浴槽12の湯水を温度上昇させる熱交換手段47が構成されている。
【００２６】
また、図２には、浴室に設置されて給湯装置11を操作するリモコン51を示す。このリモコン51には、給湯設定温度、浴槽12内の湯水の設定温度、時間などの各種の情報を表示する表示部52、浴槽12に関連した各種の機能を設定するための複数の機能釦53を有する露出した第１の操作部54、同様に複数の機能釦53を有する図示しないカバーで開閉される第２の操作部55が形成されている。
【００２７】
第１の操作部54には、機能ボタン53として、浴槽用給湯手段46によって設定温度の湯水を浴槽12に自動湯張りさせるとともに熱交換手段47の定期的な動作によって湯張り後の湯水を自動保温させるおふろ釦56、図示しないメインリモコンと通話するためのおはなし釦57、浴槽12内の湯水を設定温度に対して予め定められた所定温度分だけ高くするために熱交換手段47によって追焚きさせる追焚き釦（あつく釦）58などが含まれている。
【００２８】
第２の操作部55には、機能釦53として、給湯温度を設定する給湯温度釦59、ふろ湯温を設定するふろ湯温釦60、ふろ湯量を設定するふろ湯量釦61、これら給湯温度、ふろ湯温、ふろ湯量を変更させる調整釦62、浴槽用給湯手段46によって設定温度の湯を浴槽12に足し湯させる足し湯釦63、浴槽12の湯水の温度を低下させるために給水させるぬるく釦64、音量を設定する音量釦65、自動洗浄を設定する洗浄釦66などが含まれる。
【００２９】
また、図１に示すように、給湯装置11は、この給湯装置11を制御する制御部71を有し、この制御部71には、循環ポンプ28、電動三方弁29、各ミキシングバルブ35，36、給水電磁弁44、フロースイッチ27、各サーミスタ26，31，39、水位センサ30、貯湯タンク15の複数の高さ位置に設置されて温度を検知する図示しないサーミスタ、リモコン51などが接続されている。
【００３０】
そして、制御部71は、リモコン51が有する複数の機能釦53のうちの特定の機能釦53の操作の組み合わせにより浴槽用給湯手段46によって貯湯タンク15の高温の湯を浴槽12に差し湯する高温差し湯を設定する機能であって、追焚き釦58を操作してから例えば数秒の所定時間以内、または追焚き中に足し湯釦63が操作されることで高温差し湯を設定する機能を有している。また、高温差し湯中に、高温差し湯を指令操作した特定の機能釦のうちの１つが操作されることにより高温差し湯の設定を解除する機能を有している。
【００３１】
次に、本実施の形態の作用を説明する。
【００３２】
電気温水器14では、例えば深夜電力制度や時間帯別電灯制度において電力料金の安い深夜時間帯などの特定時間帯において、ヒータ19，20に通電し、貯湯タンク15内に給水された水および使用されなかった残湯を所定温度に沸き上げて貯湯する。
【００３３】
浴槽12への湯張り時には、電動三方弁29で循環配管23の復路25の浴槽12側を閉止するとともに浴槽用配管41と循環配管23の復路25のバイパス路32側とを連通させ、給水電磁弁44を開き、浴槽用ミキシングバルブ36で給水管16を通じて給水される水と給湯管18を通じて給湯される湯とを混合して設定温度とした湯水を、浴槽用配管41、電動三方弁29、循環配管23の復路25、バイパス路32および往路24を通じて浴槽12に給湯し、湯張りする。
【００３４】
簡易ホッパ42に配設される図示しない流量センサで浴槽12への給湯量が設定量に達したことを検知するか、復路25に配設される水位センサ30で浴槽12に湯張りした水位が設定水位に達したことを検知したら、給水電磁弁44を閉じて給湯を停止する。
【００３５】
また、浴槽12に湯張りした後に、所定時間毎の自動保温動作により、または追焚き釦58を利用者が操作して追焚きを設定することにより、熱交換手段47によって浴槽12の湯水を設定温度に保温、または設定温度より１〜１．５℃程度高い温度に追焚きする。
【００３６】
熱交換手段47では、電動三方弁29で浴槽用配管41側を閉止するとともに循環配管23の復路25を開放させた後、循環ポンプ28を作動させることにより、浴槽12の湯水を、循環配管23の復路25、電動三方弁29、循環ポンプ28、熱交換器22、往路24を通じて浴槽12に戻すように循環させる。熱交換器22内を流通する湯水と貯湯タンク15内の湯との間で熱交換し、昇温した湯水を浴槽12に戻し、浴槽12の湯温を上昇させる。
【００３７】
自動保温時に浴槽12の湯水が設定温度になるか、追焚き時に設定温度より１〜１．５℃程度高い温度になれば、熱交換手段47を停止させる。
【００３８】
また、利用者が高温差し湯を要望するときには、リモコン51で、まず追焚き釦58を操作し、次に足し湯釦63を操作することにより、高温差し湯を設定する。このとき、追焚き釦58を操作してから例えば数秒の所定時間以内、または追焚き中に足し湯釦63を操作することで、高温差し湯を設定する。
【００３９】
高温差し湯が設定されることにより、浴槽用給湯手段46によって、湯張り時と同様の管路を通じて、浴槽12に一定量の高温の湯、または浴槽12の湯水を１〜１．５℃程度上昇させるために必要な高温の湯を差し湯する。
【００４０】
浴槽用給湯手段46では、電動三方弁29で循環配管23の復路25の浴槽12側を閉止するとともに浴槽用配管41と循環配管23の復路25のバイパス路32側とを連通させ、給水電磁弁44を開く。そして、浴槽用ミキシングバルブ36により高温差し湯に予め設定されている設定温度の高温の湯（湯張り温度または保温温度より高い温度の湯）を調整し、この高温の湯を浴槽用配管41、電動三方弁29、循環配管23の復路25、バイパス路32および往路24を通じて浴槽12に差し湯する。この高温差し湯により、浴槽12の湯水が温度上昇するとともに湯量も増加する。
【００４１】
浴槽12に一定量の高温の湯を差し湯するか、浴槽12の湯水の温度が設定温度より１〜１．５℃程度高い温度になれば、浴槽用給湯手段46を停止させる。
【００４２】
このように、リモコン51の追焚き釦58、足し湯釦63の順番で操作することにより、高温差し湯を設定できるので、リモコン51に高温差し湯用の新たな機能釦を追加せずに、使用者の意図で高温差し湯を設定でき、使い勝手を向上できる。
【００４３】
特に、浴槽12の湯水を温度上昇させるのに、熱交換手段47による追焚きと、浴槽用給湯手段46による高温差し湯とを、利用者の意図で選択して設定できるので、使い勝手を向上できる。
【００４４】
そのため、追焚きを設定した場合に、熱交換能力が低下する温度まで貯湯タンク15の残湯温度が低下していると、浴槽12の湯水を温度上昇させるのに時間がかかるが、このようなときには足し湯釦63を操作することで高温差し湯に切り換えることにより、浴槽12の湯水を早く温度上昇させることができる。
【００４５】
その一方で、熱交換手段47による追焚きに時間がかかっても、浴槽12の湯量を増やしたくないという利用者の要求にも対応できる。
【００４６】
また、浴槽12の湯水を追焚きさせる追焚き釦58と浴槽12に足し湯させる足し湯釦63との操作の組み合わせで、これら両方の機能を併せ持つことになる高温差し湯を設定するので、高温差し湯を設定するための操作の意識付けを容易にでき、専用の機能釦がなくても高温差し湯を容易に操作できる。
【００４７】
また、高温差し湯中でも、リモコン51の追焚き釦58または足し湯釦63を再度操作すれば、高温差し湯の設定を解除でき、浴槽用給湯手段46を停止させることができる。
【００４８】
また、利用者が浴槽12の湯水を温度上昇させかつ水位も上昇させたい要望があるとき、今までは、まず足し湯によって浴槽12の水位を上昇させ、その後、熱交換によって浴槽12の湯水の温度を上昇させる必要があったが、高温差し湯を設定できるため、この高温差し湯によって浴槽12の湯水の温度上昇と水位上昇との両方を同時にでき、しかも短時間ででき、使い勝手を向上できる。
【００４９】
なお、リモコン51の追焚き釦58、足し湯釦63の順番で操作することにより、高温足し湯に設定したが、足し湯釦63、追焚き釦58の順番で操作したり、追焚き釦58と足し湯釦63とを同時に操作することにより、高温足し湯に設定してもよい。あるいは、追焚き釦58または足し湯釦63と他の機能釦53との組み合わせや、追焚き釦58および足し湯釦63以外の他の機能釦53の組み合わせで、高温足し湯に設定してもよい。
【００５０】
なお、貯湯タンク15に湯を沸き上げて貯湯するには、ヒータ19，20に限らず、大気中の熱を集熱するヒートポンプユニットを用いてもよい。
【図面の簡単な説明】
【００５１】
【図１】本発明の一実施の形態を示す給湯装置の構成図である。
【図２】同上給湯装置のリモコンのカバーを外した状態の正面図である。
【符号の説明】
【００５２】
11    給湯装置
12    浴槽
15    貯湯タンク
46    浴槽用給湯手段
47    熱交換手段
51    リモコン
53    機能釦
58    追焚き釦
63    足し湯釦
71    制御部
【図１】
2006250444.tif 000003
【図２】
2006250444.tif 000004